(57)【要約】【課題】商品を収容する収容箱により、商品を商品陳列棚上に陳列しても、商品を支持するための商品陳列スタンドを利用可能な商品陳列ユニット、当該商品陳列ユニットを利用した商品の陳列方法、及び商品陳列スタンドを提供すること。【解決手段】  商品Ｚを陳列する商品陳列棚Ｘ上に設けられた、商品Ｚを支持するための商品陳列スタンド１００と、商品Ｚを収容する収容箱２００とを備える商品陳列ユニット３００であって、前記商品陳列スタンド１００は、レール部１１０と、当該レール部１１０上を移動可能なスタンド部１２０と、前記レール部１１０の先端１３０に、前記収容箱２００の前壁２１０の一部を固定可能な固定部１３１を備え、前記収容箱２００の後壁２２０には、前記商品陳列スタンド１００の前記スタンド部１２０が通過可能な第一開口部２２１と、前記収容箱２００の底壁２４０には、前記レール部１１０を挿通可能な第二開口部２４１が形成されていることを特徴とする。【選択図】図１
2018139938.tif 000002
【特許請求の範囲】
【請求項１】
商品を陳列する商品陳列棚上に設けられた、商品を支持するための商品陳列スタンドと、商品を収容する収容箱とを備える商品陳列ユニットであって、
前記商品陳列スタンドは、レール部と、当該レール部上を移動可能なスタンド部と、前記レール部の先端に、前記収容箱の前壁の一部を固定可能な固定部を備え、
前記収容箱の後壁には、前記商品陳列スタンドの前記スタンド部が通過可能な第一開口部と、前記収容箱の底壁には、前記レール部を挿通可能な第二開口部が形成されていることを特徴とする商品陳列ユニット。
【請求項２】
前記商品陳列スタンドは、付勢部材により、前記商品陳列棚の前面に向けて付勢されていることを特徴とする請求項１に記載の商品陳列ユニット。
【請求項３】
請求項１又は２に記載の商品陳列ユニットを用いた商品の陳列方法であって、
前記収容箱を前記レール部に沿って後方へスライドさせることで、
前記レール部の先端から上方に立設した前記固定部と、前記収容箱の前壁との間に、商品を陳列するスペースを設けたことを特徴とする商品の陳列方法。
【請求項４】
レール部と、当該レール部上を移動可能なスタンド部と、前記レール部の先端に、商品を収容する収容箱の前壁の一部を固定可能な固定部を備えたことを特徴とする商品陳列スタンド。
【発明の詳細な説明】
【技術分野】
【０００１】
本願発明は、店舗等で商品を陳列するための商品陳列スタンドと、当該商品を収容する収容箱とを備える商品陳列ユニットと、当該商品陳列ユニットを用いた商品の陳列方法に関するものである。
【背景技術】
【０００２】
従来から、商品を陳列するための商品陳列棚上に、商品が倒れないように商品背面を支持する商品陳列スタンドが設置されていた。また、商品を一列に綺麗に陳列できるように、商品の横幅に合わせて、商品陳列棚の上に仕切板が設置されていた。
【０００３】
ところで、店員等が商品陳列棚上に商品を陳列する際は、複数の商品が収容された収容箱から、商品を一つずつ取り出して、商品陳列棚上に並べていた。また、商品の横幅に合わせて仕切板同士の幅を調節するなどして、陳列スペースを整える必要があった。そのため、陳列作業は非常に面倒な作業となっていた。
【０００４】
そこで、特許文献１に示すような収容箱（段ボール箱）では、収容箱を上下に二分割可能な構成とした。そして、分割された下側の箱の部分に商品を収容したままで、その下側の箱を商品陳列棚上に載置し、商品を陳列していた。そのため、従来のように、陳列スペースを整える作業を省くことができて、陳列作業が容易となっていた。
【０００５】
しかしながら、この特許文献１の収容箱を用いると、商品を支持するための商品陳列スタンドを利用できなくなり、陳列された商品が後方へ倒れてしまうという問題があった。
【先行技術文献】
【特許文献】
【０００６】
【特許文献１】特開平７−３２９９５５号
【発明の開示】
【発明が解決しようとする課題】
【０００７】
そこで、本願発明は上記問題に鑑み、商品を収容する収容箱を使って、商品を商品陳列棚上に陳列しても、商品を支持するための商品陳列スタンドを利用可能な商品陳列ユニット、当該商品陳列ユニットを利用した商品の陳列方法、及び商品陳列スタンドを提供することを目的としている。
【課題を解決するための手段】
【０００８】
本願発明の商品陳列ユニットは、商品を陳列する商品陳列棚上に設けられた、商品を支持するための商品陳列スタンドと、商品を収容する収容箱とを備える商品陳列ユニットであって、前記商品陳列スタンドは、レール部と、当該レール部上を移動可能なスタンド部と、前記レール部の先端に、前記収容箱の前壁の一部を固定可能な固定部を備え、前記収容箱の後壁には、前記商品陳列スタンドの前記スタンド部が通過可能な第一開口部と、前記収容箱の底壁には、前記レール部を挿通可能な第二開口部が形成されていることを特徴とする。
【０００９】
上記特徴によれば、収容箱の後壁に、商品陳列スタンドのスタンド部を通過可能な第一開口部と、収容箱の底壁に、商品陳列スタンドのレール部を挿通可能な第二開口部を備えているので、収容箱を商品陳列スタンドに容易に取り付けられ、さらに、商品を収容していた収容箱を利用して、商品を綺麗に簡単に陳列可能で、尚且つ商品が倒れないように支持する商品陳列スタンドも利用することができる。さらに、商品陳列スタンドの固定部に収容箱の前壁の一部を固定しているので、陳列作業中に収容箱がズレることがなく作業性が良好で、また、買い物客等が商品を取り出す際に収容箱に触れたとしても、収容箱がズレることなく、綺麗に陳列された状態を維持できる。
【００１０】
さらに、本願発明の商品陳列ユニットの商品陳列スタンドは、付勢部材により、前記商品陳列棚の前面に向けて付勢されていることを特徴とする。
【００１１】
上記特徴によれば、商品を商品陳列棚の最前列に自動的に整列させることができる。
【００１２】
さらに、本願発明の商品陳列ユニットを用いた商品の陳列方法であって、前記収容箱を前記レール部に沿って後方へスライドさせることで、前記レール部の先端から上方に立設した前記固定部と、前記収容箱の前壁の間に、商品を陳列するスペースを設けたことを特徴とする。
【００１３】
上記特徴によれば、収容箱を後方へスライドさせれば、収容箱の前壁と商品陳列スタンドの固定部の間に、商品の陳列スペースを容易に確保できる。
【００１４】
さらに、本願発明の商品陳列スタンドは、レール部と、当該レール部上を移動可能なスタンド部と、前記レール部の先端に、商品を収容する収容箱の前壁の一部を固定可能な固定部を備えたことを特徴とする。
【００１５】
上記特徴によれば、固定部に収容箱の前壁の一部を固定しているので、陳列作業中に収容箱がズレることがなく作業性が良好で、また、買い物客等が商品を取り出す際に収容箱に触れたとしても、収容箱がズレることなく、綺麗に陳列された状態を維持できる。
【発明の効果】
【００１６】
上記に記したように、本願発明の商品陳列ユニット、当該商品陳列ユニットを利用した商品の陳列方法、及び商品陳列スタンドは、商品を収容する収容箱を使って、商品を商品陳列棚上に陳列しても、商品を支持するための商品陳列スタンドを利用することができる。
【図面の簡単な説明】
【００１７】
【図１】（ａ）は、商品陳列棚に本願発明の商品陳列スタンドを固定した状態の斜視図、（ｂ）は、商品陳列スタンドの先端周辺を拡大した平面図、（ｃ）は、商品陳列スタンドの先端周辺を拡大した側面図である。
【図２】（ａ）は、本願発明の収容箱の全体斜視図、（ｂ）は収容箱の平面図、（ｃ）は収容箱の正面図、（ｄ）は収容箱の背面図である。
【図３】（ａ）は、本願発明の商品陳列スタンドが商品陳列棚に既に固定され、収容箱を商品陳列スタンドに取り付ける状態を示す斜視図、（ｂ）及び（ｃ）は、当該状態を示す平面図である。
【図４】本願発明の商品陳列ユニットの平面図である。
【図５】本願発明の他の実施例に係る商品陳列ユニットを用いた陳列方法を示す平面図である。
【符号の説明】
【００１８】
１００        商品陳列スタンド
１１０        レール部
１２０        スタンド部
２００        収容箱
２１０        前壁
２２０        後壁
２２１        第一開口部
２４０        底壁
２４１        第二開口部
３００        商品陳列ユニット
Ｘ            商品陳列棚
Ｚ            商品
【発明を実施するための形態】
【００１９】
以下に、本願発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本願発明は、図面における寸法比率に限定されるものではない。
【００２０】
図１は、本願発明の商品陳列ユニット３００の商品陳列スタンド１００を示している。なお、図１（ａ）は、商品陳列棚Ｘに商品陳列スタンド１００を固定した状態の斜視図、図１（ｂ）は、商品陳列スタンド１００の先端１３０周辺を拡大した平面図、図１（ｃ）は、商品陳列スタンド１００の先端１３０周辺を拡大した側面図である。また、本明細書で使用する「上方」とは、図１（ａ）に示すように水平方向に延びる商品陳列棚Ｘに対して、垂直方向の上側に向かう方向のことであり、「下方」とは、垂直方向の下側に向かう方向のことである。
【００２１】
まず、商品陳列スタンド１００は、長尺状のレール部１１０と、当該レール部１１０上に取り付けられたスタンド部１２０と、商品陳列棚Ｘの前面側の係合溝Ｙに係合する先端１３０とからなる。このレール部１１０は、長尺方向の両辺において、平行に延びるレール溝１１１を備えている。
【００２２】
また、スタンド部１２０は、当該スタンド部１２０の底部の一部（不図示）がレール溝１１１に係合するように構成されており、当該スタンド部１２０はレール溝１１１に沿って長尺方向へスライドできる。
【００２３】
また、スタンド部１２０の背面には、二本の脚部１２１が平行に設けられており、当該脚部１２１の間に挟まれるようにして、ぜんまい状のバネの形態の付勢部材１２２が取り付けられている。そして、付勢部材１２２の一端１２３は、先端１３０の一部に固定されている。したがって、スタンド部１２０を後方へスライドさせると、一端１２３が先端１３０に固定された付勢部材１２２は、伸張していく。すると、付勢部材１２２には、縮む方向（ぜんまい状に復元する方向）に弾性力が働くので、スタンド部１２０には前方へ向かう付勢力が付与されることになる。
【００２４】
また、先端１３０は下方へ屈曲した係合片１３３を備えており、当該係合片１３３は商品陳列棚Ｘの係合溝Ｙに差し込んで固定できるように構成されている。また、先端１３０は上方に向けて立設する固定部１３１を備えており、当該固定部１３１は二つの平行板によって形成された固定溝１３２を備える。
【００２５】
なお、図１では、商品陳列スタンド１００の先端１３０の係合片１３３を商品陳列棚Ｘの係合溝Ｙに差し込んで、商品陳列スタンド１００を商品陳列棚Ｘに取り付けていたが、これに限定されることはなく、例えば、係合溝Ｙが設けられていない場合は、係合溝を備えた別部材を商品陳列棚Ｘの前面に取り付けて、当該係合溝に係合片１３３を係合させて取り付けてもよく、適宜、既存の取り付け方法を採用することができる。また、商品陳列スタンド１００を構成する素材は、金属や樹脂等の任意の素材を適宜採用できる。ただ、付勢部材１２２は弾性変形可能な金属で構成されることが望ましい。
【００２６】
次に、本願発明の商品陳列ユニット３００の収容箱２００を図２に示す。なお、図２（ａ）は収容箱２００の全体斜視図、図２（ｂ）は収容箱２００の平面図、図２（ｃ）は収容箱２００の正面図、図２（ｄ）は収容箱２００の背面図である。
【００２７】
図２に示すように、収容箱２００は、前壁２１０、後壁２２０、側壁２３０及び底壁２４０で囲まれた略直方体形状をしている。また、後壁２２０は、商品陳列スタンド１００のスタンド部１２０を通過可能な大きさに形成された第一開口部２２１を備え、底壁２４０は、商品陳列スタンド１００のレール部１１０を挿通可能な大きさに形成された第二開口部２４１を備え、前壁２１０は、商品陳列スタンド１００の固定溝１３２の底部に干渉しないようにするための第三開口部２１１を備える。この第一開口部２２１、第二開口部２４１、及び第三開口部２１１は直線状に連続している。
【００２８】
また、第二開口部２４１の左右の幅は商品陳列スタンド１００のレール部１１０の左右の幅より広く、第二開口部２４１は前壁２１０と後壁２２０まで連続するように、長尺状に形成されている。また、第二開口部２４１の前面側は、幅広の先端開口部２４２となっている。
【００２９】
なお、図２に示す収容箱２００には商品が収容されていないが、工場等からの出荷時には、収容箱２００内に商品が収容されている。さらに、出荷時には、第一開口部２２１、第二開口部２４１、及び第三開口部２１１は塞がれている共に、収容箱２００の上側を覆う蓋部（不図示）によって、収容箱２００の内部は密閉されている。この第一開口部２２１、第二開口部２４１、及び第三開口部２１１は、各壁部に設けられたミシン目状の切れ目によって形成されており、当該ミシン目に沿って各開口部を開けることができるようになっている。また、収容箱２００は厚紙で形成されているが、これに限定されず、段ボール原紙等の既存の素材を適宜採用することができる。
【００３０】
では次に、商品陳列スタンド１００及び収容箱２００を用いて、本願発明の商品陳列ユニット３００を設置する方法について、図３を参照して説明する。なお、図３（ａ）は、商品陳列棚Ｘの係合溝Ｙに商品陳列スタンド１００の先端１３０の係合片１３３が差し込まれて、商品陳列スタンド１００が商品陳列棚Ｘに既に固定された状態を示す斜視図、図３（ｂ）及び（ｃ）は、当該状態を示す平面図である。
【００３１】
まず、工場から出荷された状態の収容箱２００（つまり、第一開口部２２１、第二開口部２４１、及び第三開口部２１１は塞がれている状態）から、作業員は、収容箱２００内部に収容された商品を取り出す。次に、作業員は、ミシン目沿って切れ目を入れていくことで、第一開口部２２１、第二開口部２４１、及び第三開口部２１１を開ける。すると、図３（ａ）に示す収容箱２００が出来上がる。
【００３２】
次に図３（ａ）に示すように、作業員は、商品陳列棚Ｘの前面側に収容箱２００を持ってゆき、後壁２２０の第一開口部２２１に、商品陳列棚Ｘに固定された商品陳列スタンド１００のスタンド部１２０を通過させる。次に、図３（ｂ）に示すように、底壁２４０の第二開口部２４１に商品陳列スタンド１００のレール部１１０を挿通させるように、収容箱２００を商品陳列棚Ｘ上で後方へ（矢印参照）移動させていく。そして、図３（ｃ）に示すように、収容箱２００の前壁２１０の第三開口部２１１に商品陳列スタンド１００の固定部１３１が到達するまで、収容箱２００を後方へ移動させる。その後、収容箱２００の第三開口部２１１上方の縁部２１２を、商品陳列スタンド１００の固定部１３１の固定溝１３２に差し込むことで、収容箱２００は商品陳列スタンド１００に固定されることになる。
【００３３】
以上の方法により、本願発明の商品陳列ユニット３００の設置作業が完了する。次に、図３（ｃ）に示す状態から、作業員は、図４に示すように本願発明の商品陳列ユニット３００を用いて商品Ｚを陳列していく。
【００３４】
具体的には、作業員はスタンド部１２０を後方へスライドさせて、収容箱２００の前壁２１０側から商品Ｚ１から商品Ｚ５を順次並べて陳列していく。この収容箱２００は、元々は商品Ｚを収容していた箱なので、図４に示すように、商品Ｚは左右方向にズレることなく綺麗に陳列されることになる。したがって、従来のように、商品陳列棚Ｘ上に仕切板等を用いて陳列スペースを整える必要がなく、陳列作業が容易となる。
【００３５】
そして、スタンド部１２０を後方へスライドさせると、スタンド部１２０の付勢部材１２２が伸張するので、付勢部材１２２には縮む方向（ぜんまい状に復元する方向）に弾性力が働く。すると、スタンド部１２０には、スタンド部１２０を前方へ移動させる付勢力（矢印参照）が付与されることになる。そのため、買い物客が、商品陳列棚Ｘの前方側の商品Ｚ１を取り出すと、スタンド部１２０によって商品Ｚ２から商品Ｚ５は前方へ押し出され、次の商品Ｚ２が最前列へと自動的に整列されることになる。
【００３６】
そして商品Ｚ５まで取り出された場合は、再度、作業員はスタンド部１２０を後方へスライドさせて、収容箱２００の前壁２１０側から商品Ｚ１から商品Ｚ５を順次並べて陳列してもよい。または、収容箱２００ごと商品陳列スタンド１００から取り外して、別の新しい商品を収容箱ごと陳列してもよい。なお、収容箱２００ごと商品陳列スタンド１００から取り外す際は、全ての商品Ｚが取り出されているので、スタンド部１２０は先端開口部２４２までスライドした状態となっている。そして、先端開口部２４２はスタンド部１２０より幅が広くなっているので、収容箱２００をそのまま上方に持ち上げるように取り外しても、スタンド部１２０が収容箱２００の底壁２４０に引っ掛かることはないのである。
【００３７】
このように、本願発明の商品陳列ユニット３００によれば、収容箱２００の後壁２２０に、商品陳列スタンド１００のスタンド部１２０を通過可能な第一開口部２２１と、収容箱２００の底壁２４０に、商品陳列スタンド１００のレール部１１０を挿通可能な第二開口部２４１を備えているので、図３に示すように、収容箱２００を商品陳列スタンド１００に容易に取り付けられ、さらに、商品Ｚを収容していた収容箱２００を利用して、商品Ｚを綺麗に簡単に陳列可能で、尚且つ商品Ｚが倒れないように支持する商品陳列スタンド１００も利用することができる。さらに、商品陳列スタンド１００の固定部１３１に収容箱２００の前壁２１０の一部を固定しているので、陳列作業中に収容箱２００がズレることなく作業性がよいし、また、買い物客等が商品Ｚを取り出す際に収容箱２００に触れたとしても、収容箱２００がズレることなく、綺麗に陳列された状態を維持できる。
【００３８】
また、スタンド部１２０が付勢部材１２２を備える場合は、陳列作業中に収容箱２００がズレることなく作業性が良いという上記効果がより顕著になる。例えば、図４に示すように、収容箱２００内に商品Ｚ１から商品Ｚ５を陳列していく際、スタンド部１２０を後方へスライドさせることなるが、スタンド部１２０が付勢力により前方へスライドして来ないように、作業員は片方の手でスタンド部１２０を一時的に保持する必要がある。そして、もう片方の手で、スタンド部１２０と収容箱２００の前壁２１０との間に出来たスペースに、商品Ｚ１から商品Ｚ５を陳列していくことになるが、陳列作業中に収容箱２００が後方へズレてしまうと、商品Ｚを陳列するスペースが狭くなってしまい商品Ｚを陳列できなくなる。さらに、片方の手で、ズレた収容箱２００を元の位置に戻すという手間がかかる。特に、スタンド部１２０を片方の手で保持したたままの作業では、この作業は非常に煩雑になるのである。したがって、本願発明の商品陳列ユニット３００のように、収容箱２００がズレないように、商品陳列スタンド１００の固定部１３１に収容箱２００の前壁２１０の一部を固定できると、上記陳列作業が非常に行いやすくなるのである。
【００３９】
さらに、本願発明の商品陳列ユニット３００の固定部１３１は、収容箱２００の前壁２１０の一部を差し込んで固定する固定溝１３２を備えるので、図３（ｃ）に示す状態で、収容箱２００を少し上方へ持ち上げれば、前壁２１０の一部（例えば、縁部２１２）をそのまま固定溝１３２へと容易に差し込むことができるので、収容箱２００の商品陳列スタンド１００への固定作業が非常に簡単になるのである。
【００４０】
では次に、本願発明の商品陳列ユニット３００を用いた陳列方法の他の実施例について、図５を参照して説明する。なお、図５は、商品陳列棚Ｘの係合溝Ｙに商品陳列スタンド１００の先端１３０の係合片１３３が差し込まれて、商品陳列スタンド１００は商品陳列棚Ｘに既に固定されており、図３に示す手順により収容箱２００が商品陳列スタンド１００に設置された平面図である。ただし、収容箱２００の前壁２１０の一部は、商品陳列スタンド１００の固定部１３１の固定溝１３２に差し込まれていないと共に、収容箱２００の第二開口部２４１内側に商品陳列スタンド１００のレール部１１０が収まっているので、収容箱２００はレール部１１０に沿って前後にスライド可能となっている。
【００４１】
では、他の実施例に係る陳列方法について具体的に説明する。例えば、図５に示すように、収容箱２００内には商品Ｚ１から商品Ｚ５が収容されているので、商品Ｚ０を収容するスペースがなく、商品Ｚ０が余ってしまう場合がある。しかしながら、図５に示すように、収容箱２００全体を後方へスライドさせれば、収容箱２００の前壁２１０と商品陳列スタンド１００の固定部１３１の間に商品Ｚ０を挟み込んで陳列することができる。商品Ｚ０の背面側は、収容箱２００の前壁２１０に支持されているので、商品Ｚ０が後方へ倒れることはない。また、商品Ｚ０の前面側は、商品陳列スタンド１００の先端１３０から上方に立設している固定部１３１に支持されているので、商品Ｚ０が前方へ倒れることもない。
【００４２】
このように、収容箱２００の前壁２１０の一部が商品陳列スタンド１００の固定部１３１に固定されていないと共に、収容箱２００の第二開口部２４１が商品陳列スタンド１００のレール部１１０を挿通可能に構成されているので、収容箱２００をレール部１１０に沿って前後にスライドさせることができる。そのため、収容箱２００内に収容仕切れない商品Ｚ０がある場合は、収容箱２００を後方へスライドさせて、収容箱２００の前壁２１０と商品陳列スタンド１００の固定部１３１の間に陳列スペースを確保できるので、容易に陳列スペースの増加を行えるのである。
【００４３】
さらに、スタンド部１２０には、付勢部材１２２によって前方へ向かう付勢力（矢印参照）が付与されているので、買い物客が商品Ｚ０を取り出すと、スタンド部１２０によって、一列に並んだ商品Ｚ１から商品Ｚ５がまとめて前方へ押し出される。すると、商品Ｚ１に当接している収容箱２００の前壁２１０も前方へ押し出され、その結果、収容箱２００全体が前方へ押し出されることになる。そして、収容箱２００は、前壁２１０が商品陳列スタンド１００の固定部１３１に当接して停止するまで、スタンド部１２０により前方へ押し出されるため、次の商品Ｚ１が商品陳列棚Ｘの最前列に自動的に整列されることになる。
【００４４】
なお、図１から図４では、収容箱２００を商品陳列スタンド１００に固定するために、前壁２１０の一部である縁部２１２が、商品陳列スタンド１００の固定部１３１の固定溝１３２に差し込まれて固定されていた。しかしながら、固定方法はこれに限定されず、例えば、固定部１３１がフック形状の部材であり、収容箱２００の前壁２１０に設けられた孔に、このフック形状の部材を挿入して係止させることで、収容箱２００を商品陳列スタンド１００に固定してもよく、その他にも収容箱２００を商品陳列スタンド１００に固定できるのであれば、既存の固定方法を適宜採用することができる。
【００４５】
また、図１から図５では、商品陳列スタンド１００のスタンド部１２０は付勢部材１２２を備えていたが、これに限定されず、スタンド部１２０は付勢部材１２２を備えなくてもよい。付勢部材１２２を備えない場合は、スタンド部１２０には前方への付勢力が付与されないので、商品Ｚを最前列へ自動的に整列させる機能はない。しかし、店員等が手動でスタンド部１２０を前方へスライドさせれば、商品Ｚを最前列へ整列させることができる。また、付勢部材１２２としてぜんまい状のバネを採用したが、これに限定されず、例えばゴムに代表される弾性体など、スタンド部１２０に前方への付勢力を与えることができるものであれば、既存の付勢部材を適宜採用することができる。
【００４６】
なお、本願発明の商品陳列スタンド、商品陳列ユニット、及び当該商品陳列ユニットを用いた陳列方法は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2018139938.tif 000003
【図２】
2018139938.tif 000004
【図３】
2018139938.tif 000005
【図４】
2018139938.tif 000006
【図５】
2018139938.tif 000007